(57)【要約】【課題】手で触れても怪我をするおそれがなく、従来のラケットの付属具に比べて、外観上の面白み、楽しみ、可愛らしさを有する意匠的価値があり、視覚的に楽しむことができるおしゃれで競技中の気分転換等にも利用できるガット切り残し部保護カバーを提供する。【解決手段】ラケットのガット切り残し部に取付部により取り付けられるガット切り残し部保護カバーであって、保護カバーの先端側にはハート型、十字架型、アルファベット型、動物型、ボール型、またはキャラクター型等の意匠的外観を呈する装飾部が設けられているものである。【選択図】  図１
0003178722.tif 000002
【実用新案登録請求の範囲】
【請求項１】
ガットの切り残し部に取り付けられる取付部と、該取付部の先端側に設けられハート型、十字架型、アルファベット型、動物型、ボール型、またはキャラクター型等の意匠的外観を呈する装飾部と、を備えたことを特徴とするガット切り残し部保護カバー。
【請求項２】
少なくとも取付部は合成ゴム、ゴム等の弾性体で形成されたものであり、基端側には切り残し部に挿通する孔を備えたことを特徴とする請求項１記載のガット切り残し部保護カバー。
【請求項３】
少なくとも装飾部は黄色やオレンジ色等の明るい色彩に着色されたものであることを特徴とする請求項１または２記載のガット切り残し部保護カバー。
【考案の詳細な説明】
【技術分野】
【０００１】
本考案は、テニス、ソフトテニス、バトミントン等の球技用ラケットに係り、特に、ガットの結び目の切り残し部による手の怪我を防止できるとともに、外観が良くおしゃれなアクセサリーとして競技中の気分転換等にも利用できるラケットのガット切り残し部保護カバーに関する。
【背景技術】
【０００２】
例えばテニス用のラケット１は、図６に示すように、棒状のグリップ３の先にフレーム５があり、該フレーム５にガット７が張られたものである。また、ソフトテニスやバトミントン等の球技用ラケットも同様の構造を有する。テニスラケット１の場合、長さは６９ｃｍ前後、重さは２４０〜３８０ｇ程度、素材はＦＲＰ、カーボン、チタンなどの複合素材が使用される。
【０００３】
ガット７は硬質な合成樹脂等の材料が使用されている。ガット７の張り方は１本張りが基本で、２本張り、３本張り等の張り方もある。いずれも、ガット７をクランプして張った状態を保持しながら、横糸と縦糸に分けて張ってゆき、最後にガット７の両端部でフレームに対して結び目９を形成して固定する。ガット７の端部については、結び目９の切り残しが短いと結びが解けてしまうおそれがあるので、適当な長さの切り残し部１１を設けてカットするのが一般的である。
【０００４】
また、従来の球技用ラケットの付属具としては、下記の特許文献１、２に示すように、テニスラケット１の飾りガット兼用振動止め装置やガット振動減衰装置等があり、ガット７に取り付けるようにチューブ状やベルト状に形成されたものがある。
【先行技術文献】
【特許文献】
【０００５】
【特許文献１】実開平６−８０４５２号公報
【特許文献２】特開平８−９８９０３号公報
【考案の概要】
【考案が解決しようとする課題】
【０００６】
従来のラケット１は、フレーム５にガット７を通していく時に両側の端部が結び目９となり、結び目９から切り残し部１１が突出しているが、そのまま使用している。そのため、図７に示すように、ラケット１に手を触れる際に切り残し部１１に当たって手を怪我してしまうおそれがあった。
【０００７】
また、従来のラケット１の付属具は、振動減衰等の機能性のみを追求したものであるため、見栄えも良くなく、見た目の面白みや、意匠的価値のないものであった。テニス等の競技はゲーム中にメンタル的な要素が影響するものであり、ポイントとポイントの間に気分転換に利用したり、見て楽しめるものではなかった。
【０００８】
本考案はこのような点に基づいてなされたものでその目的とするところは、手で触れても怪我をするおそれがなく、従来のラケットの付属具に比べて、外観上の面白み、楽しみ、可愛らしさを有する意匠的価値があり、視覚的に楽しむことができるおしゃれで競技中の気分転換等にも利用できるガット切り残し部保護カバーを提供することにある。
【課題を解決するための手段】
【０００９】
上記目的を達成するべく請求項１のガット切り残し部保護カバーは、ガットの切り残し部に取り付けられる取付部と、該取付部の先端側に設けられハート型、十字架型、アルファベット型、動物型、ボール型、またはキャラクター型等の意匠的外観を呈する装飾部と、を備えたことを特徴とするものである。
【００１０】
また、請求項２のガット切り残し部保護カバーは、請求項１記載のガット切り残し部保護カバーにおいて、少なくとも取付部は合成ゴム、ゴム等の弾性体で形成されたものであり、基端側には切り残し部に挿通する孔を備えたことを特徴とするものである。
【００１１】
また、請求項３のガット切り残し部保護カバーは、請求項１または２記載のガット切り残し部保護カバーにおいて、少なくとも装飾部は黄色やオレンジ色等の明るい色彩に着色されたものであることを特徴とするものである。
【考案の効果】
【００１２】
請求項１によるガット切り残し部保護カバーは、ラケットの切り残し部に取付部により取り付けられているため、切り残し部の尖った端部が保護カバーで保護され、ラケットに手で触れても手を怪我するおそれがなくなり、安心して競技をすることができる。
【００１３】
そして、保護カバーの先端側にはハート型、十字架型、アルファベット型、動物型、ボール型、またはキャラクター型等の意匠的外観を呈する装飾部が設けられているから、外観上の面白み、楽しみ、可愛らしさを有する意匠的価値があり、競技中に視覚的に楽しむことができ、リラックスできるとともに、ポイントとポイントの間に、保護カバーに触れてその向きを直したりすることによって気分転換を図り、リフレッシュして次のポイントに入ることができる。
【００１４】
また、請求項２のガット切り残し部保護カバーは、取付部が合成ゴム、ゴム等の弾性体で形成されたものであり、基部側にはガット切り残し部に挿通する孔を備えているため、保護カバーをガット切り残し部に容易に取り付けることができ、ラケットを使用している間、外れないで保持させておくことができる。
【００１５】
また、請求項３のガット切り残し部保護カバーは、装飾部は黄色やオレンジ色等の明るい色彩で形成したため、利用者に対して興味を引き出させることができ、テニス等の競技用アクセサリーとして購買意欲を向上させることができる。
【図面の簡単な説明】
【００１６】
【図１】本考案の実施の形態を示す図で、ラケットにガット切り残し部保護カバーを取り付けた状態を示す正面図である。
【図２】本考案の実施の形態を示す図で、ラケットにガット切り残し部保護カバーを取り付けた状態を示す斜視図である。
【図３】本考案の実施の形態を示す図で、ガット切り残し部保護カバーを示す斜視図である。
【図４】本考案の実施の形態を示す図で、ガット切り残し部保護カバーに手を触れた状態を示す斜視図である。
【図５】本考案の実施の形態を示す図で、ガット切り残し部保護カバーの他の実施形態を示す斜視図である。
【図６】従来のラケットを示す図で、ラケットのガット切り残し部を示す正面図である。
【図７】従来のラケットを示す図で、ガット切り残し部に手を触れた状態を示す斜視図である。
【考案を実施するための形態】
【００１７】
以下、図１〜図５に示す実施の形態を例にとって、本考案のガット切り残し部保護カバーの構成と作用について説明する。
本考案のガット切り残し部保護カバー１３は、ラケット１の切り残し部１１に取付部１５により取り付けられるものであって、その先端側にはハート型、十字架型、アルファベット型、動物型、ボール型、またはキャラクター型等の意匠的外観を呈する装飾部１７が設けられていることによって基本的に構成されている。
【００１８】
該ガット切り残し部保護カバー１３は、一例としてエチレン・プロピレンゴム（ＥＰＤＭ）製であり、一体成形されたものである。なお、材質はこれに限られるものではなく、他の合成ゴム、ゴム等の弾性体で形成されたものでもよい。また、取付部１５を弾性体とすれば、装飾部１７は木製や金属製やプラスチック製等であっても良い。
取付部１５は一例として円錐体状に形成されており、中心部に切り残し部１１に挿通する孔１９が形成されている。この孔１９はガット７の切り残し部１１に差し込んで固定することができるように、開口部側の口径をやや大径とし奥側をやや小径として、差し込み易くするとともに差し込んだ後は弾性体の弾発力で保持されるように形成されている。
【００１９】
取付部１５の先端側には図１〜図３に示したアルファベットのＵ型のような意匠的外観を呈する装飾部１７が設けられている。このように予め各アルファベットのものを用意し、使用者が自己のイニシャルのものを選択して、ラケット１に取り付けることにより、自己のラケットであることをアピールすることができる。
【００２０】
また、装飾部１７は、図１〜図３に示したアルファベットのＵ型以外に、図５に示したように、台座付きのアルファベットのＵ型にしたり、十字架型にしたり、テニスボールなどのボール型にしたり、ハート型にしたり、熊や鳥などの動物型やキャラクター型に形成することが可能である。これらの種々の形態のものを予め用意し、使用者が自己の趣味に合うものを選択して使用することができる。なお、その他、図示しない丸型や文字や記号、車両、船、飛行機等の乗り物型や、建物や家具や文具や用具や、トロフィーや楯等の賞杯等の意匠的外観を呈するもので構成することが可能である。
【００２１】
また、ガット切り残し部保護カバー１３は、黄色やオレンジ色等の明るい色彩で形成される。本実施の形態では、材料を明色にし全体を同じ色に彩色したものであるが、少なくとも装飾部１７を明色とし、取付部１７については別の色としても良い。なお、彩色についてはこれに限られるものではなく、装飾部１７の意匠的外観に併せて、材料に適当な色を採用したり、一部または全部を着色したものとすることができる。
【００２２】
本実施の形態によるガット切り残し部保護カバーはこのように構成され、以下のように作用する。
ラケット１は、図１に示すように、フレーム５にガット７が張られたものであり、フレーム５の上下２カ所に結び目９が設けられていて、ここに切り残し部１１が突出している。切り残し部１１は手で触れると尖った端部で怪我をするおそれがある。
【００２３】
そこで、本考案のガット切り残し部保護カバー１３を切り残し部１１を巧みに利用して取り付ける。取り付け箇所はフレーム５の２カ所の切り残し部１１の両方でもよいし、いずれか一方でもよい。ガット切り残し部保護カバー１３は、すくなくとも取付部１５が合成ゴム、ゴム等の弾性体で形成されており、ガットの太さに対応してこれと密着可能な大きさの孔１９を備えているので、取付部１５の孔１９を切り残し部１１に差し込むことにより、切り残し部１１に密着させて強固に取り付けることができる。なお、取り付けられたガット切り残し部保護カバー１３は、競技中などラケット１を使用している間、外れないで保持させておくことができることが確認されている。
【００２４】
また、ガット切り残し部保護カバー１３は単に切り残し部１１から手を保護するだけでなく、デザイン性に優れたアクセサリーとしての機能も発揮する。すなわち、取付部１５の先端側にはハート型、十字架型、アルファベット型、動物型、ボール型、またはキャラクター型等の意匠的外観を呈する装飾部１７が設けられており、外観上の面白み、楽しみ、可愛らしさを有する意匠的価値を有する。
【００２５】
このため、例えばＵ型のアルファベットであれば、Ｕの文字か自分に見えるように向きを調整して取り付けることができるので、使用者は競技中に視覚的に楽しむことができ、気分をリラックスさせることができる。
また、ポイントとポイントの間に、その向きを直したりすることによって、短時間に気分転換を図り、リフレッシュした状態で次のポイントに入ることができる。
また、ガット切り残し部保護カバー１３は、少なくとも装飾部１７を黄色やオレンジ色等の明るい色彩で形成することによって、ラケットに取り付けていることを目立たたせることができる。
【００２６】
以上本実施の形態によるガット切り残し部保護カバーによれば、次のような効果を奏することができる。
まず、ガット切り残し部保護カバー１３を切り残し部１１に取り付けることによって、切り残し部１１の尖った端部がガット切り残し部保護カバー１３で保護されるので、ラケット１に手で触れても手を怪我するおそれがなくなり、安心して競技をすることができる。なお、ガット切り残し部保護カバー１３を切り残し部１１に取り付けることによって、ガットの結び目にボールが直接当たらないようにして、ガットが切れたり、結び目が緩んで外れたりすることを防止することができる。
【００２７】
また、ガット切り残し部保護カバー１３をデザイン性に優れたアクセサリーとして使用することができるから、使用者は視覚的に楽しむことができ、手で触れ向きを調整して気分をリラックスさせることができる。また、ポイントとポイントの間に、保護カバーに触れてその向きを直したりすることによって短時間に気分転換を図り、リフレッシュした状態で次のポイントに入ることができる。
【００２８】
また、ガット切り残し部保護カバー１３を黄色やオレンジ色等の明るい色彩で形成すると、ラケットに取り付けていることをより目立たたせることができるので、これが利用者に対して興味を引き出させることができ、テニス等の競技用アクセサリーとして購買意欲を向上させることができる。
【００２９】
尚、本考案のガット切り残し部保護カバー１３は、上記の実施の形態のものに限定されず、その考案の要旨内での変更が可能である。
例えば、取付部１５の態様は上記の円錐体状の弾性体に孔１９を開けたものに限定されるものではなく、クリップ型や巻き付け型等の取り付け手段を採用することも可能である。
また、取付部は弾性体の孔により切り残し部１１に密着させる方法に限らず、接着剤や粘着剤により取り付ける方法や締め付けにより取り付ける方法など、種々の取り付け方法を採用することが可能である。
また、ガット切り残し部保護カバー１３の材質はゴム等の弾性体とするほか、木製や金属製やプラスチック製のものでも良いし、その大きさや色についても、特に限定するものではなく任意である。
【産業上の利用可能性】
【００３０】
本考案のガット切り残し部保護カバーは、ガットを張った球技用ラケット全般に利用でき、特にガットの切り残し部が存在する現在のラケットに対して、手を触れる際の怪我の防止やデザイン性に優れ競技中にリラックスできるために適当なアクセサリーを提供したい場合に利用可能性を有する。
【符号の説明】
【００３１】
１  ラケット
３  グリップ
５  フレーム
７  ガット
９  結び目
１１  切り残し部
１３  ガット切り残し部保護カバー
１５  取付部
１７  装飾部
１９  孔
【図１】
0003178722.tif 000003
【図２】
0003178722.tif 000004
【図３】
0003178722.tif 000005
【図４】
0003178722.tif 000006
【図５】
0003178722.tif 000007
【図６】
0003178722.tif 000008
【図７】
0003178722.tif 000009